(57)【要約】【課題】貨幣回収作業が行われている間であっても精算作業を行うことができるような、両面型の貨幣処理装置を提供することである。【解決手段】本発明は、一側操作面と他側操作面とを有する両面型の貨幣処理装置であって、前記一側操作面に設けられた一側入金部と、前記一側入金部から入金された貨幣を識別する一側識別部と、前記一側識別部によって識別された貨幣を一時保留する一側一時保留部と、前記他側操作面に設けられた他側入金部と、前記他側入金部から入金された貨幣を識別する他側識別部と、前記他側識別部によって識別された貨幣を一時保留する他側一時保留部と、共通の貨幣収納庫と、前記一側一時保留部によって一時保留された貨幣を前記貨幣収納庫まで搬送する一側搬送部と、前記他側一時保留部によって一時保留された貨幣を前記貨幣収納庫まで搬送する他側搬送部と、前記貨幣収納庫に収納された貨幣を回収するための回収機構と、を備える。【選択図】図４
2016201000.tif 000002
【特許請求の範囲】
【請求項１】
一側操作面と他側操作面とを有する貨幣処理装置であって、
前記一側操作面に設けられた一側入金部と、
前記一側入金部から入金された貨幣を識別する一側識別部と、
前記一側識別部によって識別された貨幣を一時保留する一側一時保留部と、
前記他側操作面に設けられた他側入金部と、
前記他側入金部から入金された貨幣を識別する他側識別部と、
前記他側識別部によって識別された貨幣を一時保留する他側一時保留部と、
共通の貨幣収納庫と、
前記一側一時保留部によって一時保留された貨幣を前記貨幣収納庫まで搬送する一側搬送部と、
前記他側一時保留部によって一時保留された貨幣を前記貨幣収納庫まで搬送する他側搬送部と、
前記貨幣収納庫に収納された貨幣を回収するための回収機構と、
を備えたことを特徴とする貨幣処理装置。
【請求項２】
前記一側操作面に、一側出金部が設けられており、
前記他側操作面に、他側出金部が設けられている
ことを特徴とする請求項１に記載の貨幣処理装置。
【請求項３】
前記貨幣収納庫は、金種別に複数が設けられており、
前記一側搬送部及び前記他側搬送部と前記複数の貨幣収納庫との間に、前記一側一時保留部または前記他側一時保留部によって一時保留された貨幣を金種別に分類して対応する貨幣収納庫まで搬送する貨幣分類機構が設けられている  
ことを特徴とする請求項１または２に記載の貨幣処理装置。
【請求項４】
前記一側搬送部と、前記他側搬送部と、前記回収機構とは、いずれか１つが駆動している時に他の２つは駆動しない
ことを特徴とする請求項１乃至３のいずれかに記載の貨幣処理装置。
【請求項５】
前記一側操作面に設けられた一側表示部と、
前記他側操作面に設けられた他側表示部と、
を更に備え、
前記一側表示部及び前記他側表示部は、前記一側搬送部、前記他側搬送部及び前記回収機構のいずれかが駆動している時に、当該情報を表示する
ことを特徴とする請求項４に記載の貨幣処理装置。
【請求項６】
一側操作面に設けられた一側入金部から入金された貨幣を識別する一側識別工程と、
前記一側識別工程によって識別された貨幣を一時保留する一側一時保留工程と、
他側操作面に設けられた他側入金部から入金された貨幣を識別する他側識別工程と、
前記他側識別工程によって識別された貨幣を一時保留する他側一時保留工程と、
前記一側一時保留工程によって一時保留された貨幣を貨幣収納庫まで搬送する一側搬送工程と、  
前記他側一時保留工程によって一時保留された貨幣を前記貨幣収納庫まで搬送する他側搬送工程と、  
前記貨幣収納庫に収納された貨幣を回収するための回収工程と、
を備え、
前記一側搬送工程と、前記他側搬送工程と、前記回収工程とは、いずれか１つが行われている時に他の２つは行われない
ことを特徴とする貨幣処理方法。
【請求項７】
給油機と、
前記給油機に連動して給油料金を算出するＰＯＳ装置と、
前記ＰＯＳ装置によって算出された給油料金を精算するための請求項１乃至４のいずれかに記載の貨幣処理装置と、
を備えたことを特徴とする給油システム。
【請求項８】
前記給油機は、一側給油ノズルと他側給油ノズルとを有する両面型の給油機である
ことを特徴とする請求項７に記載の給油システム。
【発明の詳細な説明】
【技術分野】
【０００１】
本発明は、ガソリンスタンドの給油システム等に搭載されている貨幣処理装置、貨幣処理方法、及び、当該貨幣処理装置を備えた給油システムに関する。
【背景技術】
【０００２】
ガソリンスタンドのスタッフではなくドライバー自らが給油作業を行う、いわゆるセルフタイプのガソリンスタンド（セルフ給油所）では、給油システムに貨幣処理装置としての入出金機が搭載されていて、給油作業と精算作業とをドライバーが連続的に行えるようになっている。
【０００３】
典型的には、給油機のそれぞれの給油レーンに対して、１台の入出金機が設置される。あるいは、平行な２本の給油レーンの間に、当該２本の給油レーンに共通の、両面型の入出金機が設置される。後者の両面型の入出金機では、貨幣識別部、貨幣収納庫、貨幣回収庫が２本の給油レーンに対して共有化されており、入出金機自体のコストにおいて有利であるし、省スペース化が図れるという利点もある。更には、貨幣の回収作業が、２本の給油レーンについて１回の作業でできるため、給油所の管理者の作業効率という観点でも優れている。
【先行技術文献】
【特許文献】
【０００４】
【特許文献１】特開２００４−３０７０３２号公報
【発明の開示】
【発明が解決しようとする課題】
【０００５】
両面型の入出金機には、前述の通り多くの利点がある。従って、平行な２本の給油レーンの間に両面型の入出金機を設置可能である時には、実際に設置されて利用されている。
【０００６】
ここで、本件発明者は、貨幣回収作業を行っている際に、両面型の入出金機の利用を停止させる、という運用について検討を重ねてきた。すなわち、両面型の入出金機に対する貨幣回収作業を行っている際には、その両側の２本の給油レーンの利用ができない、という問題について検討してきた。
【０００７】
各給油レーンに１台の入出金機が設けられている場合には、当該入出金機に対する貨幣回収作業は、その給油レーンを塞ぐ形で行われることが一般的であるから、当該給油レーンに車が入ってくることはない。
【０００８】
しかしながら、平行な２本の給油レーンに１台の両面型の入出金機が設けられている場合には、当該入出金機に対する貨幣回収作業が片方の給油レーンを塞ぐ形で行われたとしても、他方の給油レーンを塞ぐことは無いので、当該他方の給油レーンに車が入ってしまうということがあり得る。そのような場合に、車をバックさせて別の利用可能な給油レーンに入り直して貰うか、貨幣回収作業が完了するまで待って貰う、ということは、顧客の利便性という点で非常にマイナスである。
【０００９】
更に、従来の両面型の入出金機においては、前述のように貨幣識別部、貨幣収納庫、貨幣回収庫が２本の給油レーンに対して共有化されているために、一方の給油レーンに対応する一側で精算作業がなされている場合には、他方の給油レーンに対応する他側での精算作業を行うことができない。
【００１０】
本発明は、以上のような知見に基づいてなされたものである。本発明の目的は、一側で貨幣回収作業や精算作業が行われている間であっても、他側で精算作業を行うことができるような、貨幣処理装置、貨幣処理方法及び給油システムを提供することである。
【課題を解決するための手段】
【００１１】
本発明は、一側操作面と他側操作面とを有する貨幣処理装置であって、前記一側操作面に設けられた一側入金部と、前記一側入金部から入金された貨幣を識別する一側識別部と、前記一側識別部によって識別された貨幣を一時保留する一側一時保留部と、前記他側操作面に設けられた他側入金部と、前記他側入金部から入金された貨幣を識別する他側識別部と、前記他側識別部によって識別された貨幣を一時保留する他側一時保留部と、共通の貨幣収納庫と、前記一側一時保留部によって一時保留された貨幣を前記貨幣収納庫まで搬送する一側搬送部と、前記他側一時保留部によって一時保留された貨幣を前記貨幣収納庫まで搬送する他側搬送部と、前記貨幣収納庫に収納された貨幣を回収するための回収機構と、を備えたことを特徴とする貨幣処理装置である。
【００１２】
本発明によれば、一側一時保留部及び他側一時保留部が設けられたことによって、回収機構において貨幣回収作業が行われている間であっても、一側入金部から一側識別部を介して一側一時保留部に至る機能、及び、他側入金部から他側識別部を介して他側一時保留部に至る機能を中断させる必要がなく、それぞれにおいて精算作業を行うことができる。
【００１３】
好ましくは、一側操作面に一側出金部が設けられ、他側操作面に他側出金部が設けられる。
【００１４】
一般的には、貨幣収納庫は、金種別に複数が設けられる。そして、一側搬送部及び他側搬送部と複数の貨幣収納庫との間に、一側一時保留部または他側一時保留部によって一時保留された貨幣を金種別に分類して対応する貨幣収納庫まで搬送する貨幣分類機構が設けられる。
【００１５】
貨幣収納庫が関与する処理がバッティング（干渉）しないように、前記一側搬送部と前記他側搬送部と前記回収機構とは、いずれか１つが駆動している時に他の２つは駆動しない、という制御が採用されることが好ましい。この場合、一側操作面に一側表示部が設けられ、他側操作面に他側表示部が設けられ、前記一側表示部及び前記他側表示部は、前記一側搬送部、前記他側搬送部及び前記回収機構のいずれかが駆動している時に、当該情報を表示することが更に好ましい。
【００１６】
あるいは、本発明は、一側操作面に設けられた一側入金部から入金された貨幣を識別する一側識別工程と、前記一側識別工程によって識別された貨幣を一時保留する一側一時保留工程と、他側操作面に設けられた他側入金部から入金された貨幣を識別する他側識別工程と、前記他側識別工程によって識別された貨幣を一時保留する他側一時保留工程と、前記一側一時保留工程によって一時保留された貨幣を貨幣収納庫まで搬送する一側搬送工程と、前記他側一時保留工程によって一時保留された貨幣を前記貨幣収納庫まで搬送する他側搬送工程と、前記貨幣収納庫に収納された貨幣を回収するための回収工程と、を備え、前記一側搬送工程と、前記他側搬送工程と、前記回収工程とは、いずれか１つが行われている時に他の２つは行われないことを特徴とする貨幣処理方法である。
【００１７】
本発明によれば、一側一時保留工程及び他側一時保留工程が設けられたことによって、回収工程において貨幣回収作業が行われている間であっても、一側入金部から一側一時保留部に至る機能、及び、他側入金部から他側一時保留部に至る機能を中断させる必要がなく、それぞれにおいて精算作業を行うことができる。
【００１８】
あるいは、本発明は、給油機と、前記給油機に連動して給油料金を算出するＰＯＳ装置と、前記ＰＯＳ装置によって算出された給油料金を精算するための前記特徴のいずれかを有する貨幣処理装置と、を備えたことを特徴とする給油システムである。
【００１９】
本発明によれば、貨幣回収作業が行われている間であっても、一側入金部から一側識別部を介して一側一時保留部に至る機能、及び、他側入金部から他側識別部を介して他側一時保留部に至る機能を中断させる必要がなく、それぞれにおいて精算作業を行うことができるため、２つの給油レーンの利用を中断する必要がない。従って、車をバックさせて別の利用可能な給油レーンに入り直して貰うか、貨幣回収作業が完了するまで待って貰う、ということがなく、顧客の利便性という点で非常にプラスである。
【００２０】
前記給油機は、一側給油ノズルと他側給油ノズルとを有する両面型の給油機であることが好ましい。この場合、２つの給油レーンを効率良く利用することができる。
【発明の効果】
【００２１】
本発明による両面同時使用可の貨幣処理装置によれば、一側一時保留部及び他側一時保留部が設けられたことによって、回収機構において貨幣回収作業が行われている間であっても、一側入金部から一側識別部を介して一側一時保留部に至る機能、及び、他側入金部から他側識別部を介して他側一時保留部に至る機能を中断させる必要がなく、それぞれにおいて精算作業を行うことができる。
【００２２】
また、本発明による貨幣処理方法によれば、一側一時保留工程及び他側一時保留工程が設けられたことによって、回収工程において貨幣回収作業が行われている間であっても、一側入金部から一側一時保留部に至る機能、及び、他側入金部から他側一時保留部に至る機能を中断させる必要がなく、それぞれにおいて精算作業を行うことができる。
【００２３】
また、本発明による給油システムによれば、貨幣回収作業が行われている間であっても、一側入金部から一側識別部を介して一側一時保留部に至る機能、及び、他側入金部から他側識別部を介して他側一時保留部に至る機能を中断させる必要がなく、それぞれにおいて精算作業を行うことができるため、２つの給油レーンの利用を中断する必要がない。従って、車をバックさせて別の利用可能な給油レーンに入り直して貰うか、貨幣回収作業が完了するまで待って貰う、ということがなく、顧客の利便性という点で非常にプラスである。
【図面の簡単な説明】
【００２４】
【図１】本発明の一実施の形態による給油システムの概略構成図である。
【図２】図１の給油システムにおける給油機と貨幣入出金機（貨幣処理装置）との設置構成の正面図である。
【図３】図２の給油機と貨幣入出金機の設置構成の平面図である。
【図４】本発明の一実施の形態による貨幣入出金機（貨幣処理装置）のブロック図である。
【図５】図４の貨幣入出金機の正面図である。
【図６】図４の貨幣入出金機の構成概略図である。
【図７】図４の貨幣入出金機の制御部に関する構成概略図である。
【図８】図４の貨幣入出金機の動作制御を説明するための図である。
【図９】両面型カードリーダライタを内蔵している貨幣処理装置の概略図である。
【図１０】図９の両面型カードリーダライタの内部構成概略図である。
【図１１】図１０の部分図である。
【発明を実施するための形態】
【００２５】
以下に、添付の図面を参照して、本発明の実施の形態を詳細に説明する。
【００２６】
図１は、本発明の一実施の形態による給油システムの概略構成図である。図２は、図１の給油システムにおける給油機と貨幣入出金機（貨幣処理装置）との設置構成の正面図である。図３は、図２の給油機と貨幣入出金機の設置構成の平面図である。
【００２７】
図１乃至図３に示すように、本実施の形態の給油システムは、給油機３と、給油機３に連動して給油料金を算出するＰＯＳ装置５と、ＰＯＳ装置５によって算出された給油料金を精算するための貨幣処理装置としての貨幣入出金機１と、を備えている。給油機３と貨幣入出金機１とは互いに隣接していて、平行な２本の給油レーンの間に位置するアイランド４と呼ばれる土台の上に設置されている。そして、図１及び図２に示すように、給油機３の各給油レーンに対向する一側面及び他側面に、ＰＯＳ装置５に接続された外設ＰＯＳ２（２ａ、２ｂ）が設けられている。
【００２８】
図２に示すように、各外設ＰＯＳ２には、表示操作画面２１と、カードリーダ挿入口２２と、給油伝票排出口２３と、が設けられている。表示操作画面２１は、例えば、ドライバーに対する表示用の表示部と、ドライバーによる操作用の操作部と、を兼ねるタッチパネルである。カードリーダ挿入口２２は、そこに挿入されたクレジットカードやポイントカード等を読み取るための装置である。給油伝票排出口２３は、給油に関する情報（給油量など）と精算に関する情報（釣り銭額など）とが印字された伝票を給油後に排出するための装置である。
【００２９】
また、図２及び図３に示すように、給油機３は、一側給油ノズルと他側給油ノズルとを有する両面型の給油機である。一側給油ノズルは、更に、ハイオク、レギュラー、軽油の３種類が設けられており、同様に、他側給油ノズルも、ハイオク、レギュラー、軽油の３種類が設けられている。各給油ノズル３２は、公知のノズル掛け３１によって支持されている。また、本実施の形態の給油機３は、図２に示すように、表示操作画面２１とは別に、給油量等を表示するため給油表示部３３を有している。
【００３０】
次に、図４は、本発明の一実施の形態による貨幣入出金機１（貨幣処理装置）のブロック図である。図５は、図４の貨幣入出金機１の正面図であり、図６は、図４の貨幣入出金機１の構成概略図であり、図７は、図４の貨幣入出金機１の制御部に関する構成概略図である。
【００３１】
図４乃至図７に示すように、貨幣入出金機１の各給油レーンに対向する一側面及び他側面に、それぞれ、一側操作面及び他側操作面が設けられており、すなわち、貨幣入出金機１は両面型の貨幣処理装置である。
【００３２】
図２及び図５に示すように、一側操作面には、一側入金部として、紙幣投入部１１１ａが設けられている。紙幣投入部１１１ａには、図４に示すように、紙幣投入の有無を検出する投入センサ１１２ａが設けられている。
【００３３】
一側の紙幣投入部１１１ａから入金された紙幣は、一側の紙幣識別部１１３ａによって識別されるようになっている。また、一側の紙幣識別部１１３ａによって識別された紙幣は、一側一時保留部としての紙幣混合一時保留庫１１４ａに一時保留されるようになっている。
【００３４】
一側の紙幣混合一時保留庫１１４ａによって一時保留された紙幣は、後述する制御に従って、一側の紙幣搬送部１１６ａによって一側と他側とに共通の紙幣収納庫１２２まで搬送されるようになっている。
【００３５】
ここで、本実施の形態では、紙幣収納庫１２２は金種別に複数が設けられており、一側の紙幣搬送部１１６ａ及び後述する他側の紙幣搬送部１１６ｂと当該複数の貨幣収納庫１２２との間に、一側の紙幣混合一時保留庫１１４ａまたは後述する他側の紙幣混合一時保留庫１１４ｂによって一時保留された紙幣を金種別に分類して対応する紙幣収納庫１２２まで搬送する紙幣分類部１２１（貨幣分類機構）が設けられている。
【００３６】
また、複数の紙幣収納庫１２２の各々に収納された金種別の紙幣を回収するための回収機構として、回収カセットのような紙幣回収庫１２３が設けられている。本実施の形態の紙幣回収庫１２３は、金種に関して混合状態で紙幣を収容する回収庫となっており、係員の操作によって少なくとも一側から（好ましくは両面から）外部へと取出可能に構成されている。
【００３７】
そして、表裏対称に、他側操作面には、他側入金部として、紙幣投入部１１１ｂが設けられている。紙幣投入部１１１ｂにも、紙幣投入の有無を検出する投入センサ１１２ｂが設けられている。
【００３８】
他側の紙幣投入部１１１ｂから入金された紙幣は、他側の紙幣識別部１１３ｂによって識別されるようになっている。また、他側の紙幣識別部１１３ｂによって識別された紙幣は、他側一時保留部としての紙幣混合一時保留庫１１４ｂに一時保留されるようになっている。
【００３９】
他側の紙幣混合一時保留庫１１４ｂによって一時保留された紙幣は、後述する制御に従って、他側の紙幣搬送部１１６ｂによって一側と他側とに共通の紙幣収納庫１２２まで搬送されるようになっている。
【００４０】
硬貨についても略同様であって、一側操作面には、一側入金部として、硬貨投入部１３１ａが設けられている。硬貨投入部１３１ａには、硬貨投入の有無を検出する投入センサ１３２ａが設けられている。
【００４１】
一側の硬貨投入部１３１ａから入金された硬貨は、一側の硬貨識別部１３３ａによって識別されるようになっている。また、一側の硬貨識別部１３３ａによって識別された硬貨は、一側一時保留部としての硬貨混合一時保留庫１３４ａに一時保留されるようになっている。
【００４２】
一側の硬貨混合一時保留庫１３４ａによって一時保留された硬貨は、後述する制御に従って、一側の硬貨搬送部１３６ａによって一側と他側とに共通の硬貨収納庫１４２まで搬送されるようになっている。
【００４３】
ここで、本実施の形態では、硬貨収納庫１４２は金種別に複数が設けられており、一側の硬貨搬送部１３６ａ及び後述する他側の硬貨搬送部１３６ｂと当該複数の硬貨収納庫１４２との間に、一側の硬貨混合一時保留庫１３４ａまたは後述する他側の硬貨混合一時保留庫１３４ｂによって一時保留された硬貨を金種別に分類して対応する硬貨収納庫１４２まで搬送する硬貨分類部１４１（貨幣分類機構）が設けられている。
【００４４】
また、複数の硬貨収納庫１４２の各々に収納された金種別の硬貨を回収するための回収機構として、回収カセットのような硬貨回収庫１４３が設けられている。本実施の形態の硬貨回収庫１４３は、金種に関して混合状態で硬貨収容する回収庫となっており、係員の操作によって少なくとも一側から（好ましくは両面から）外部へと取出可能に構成されている。
【００４５】
そして、表裏対称に、他側操作面には、他側入金部として、硬貨投入部１３１ｂが設けられている。硬貨投入部１３１ｂにも、硬貨投入の有無を検出する投入センサ１３２ｂが設けられている。
【００４６】
他側の硬貨投入部１３１ｂから入金された硬貨は、他側の硬貨識別部１３３ｂによって識別されるようになっている。また、他側の硬貨識別部１３３ｂによって識別された硬貨は、他側一時保留部としての硬貨混合一時保留庫１３４ｂに一時保留されるようになっている。
【００４７】
他側の硬貨混合一時保留庫１３４ｂによって一時保留された硬貨は、後述する制御に従って、他側の硬貨搬送部１３６ｂによって一側と他側とに共通の硬貨収納庫１４２まで搬送されるようになっている。
【００４８】
本実施の形態では、ＰＯＳ装置５に接続された制御部１５により、一側搬送部である一側の紙幣搬送部１１６ａと、他側搬送部である他側の紙幣搬送部１１６ｂと、紙幣の回収機構とは、いずれか１つが駆動している時に他の２つは駆動しない、という制御が採用されている。同様に、一側搬送部である一側の硬貨搬送部１３６ａと、他側搬送部である他側の硬貨搬送部１３６ｂと、硬貨の回収機構とは、いずれか１つが駆動している時に他の２つは駆動しない、という制御が採用されている。
【００４９】
次に、以上のような構成を備えた本実施の形態による給油システムの作用について説明する。
【００５０】
ドライバーは、所望の給油レーンに車を停車させると、当該給油レーンに対応する給油機３の外設ＰＯＳ２の表示操作画面２２（例えばタッチパネル）を操作して、給油する油種（ハイオク、レギュラー、軽油）を選択する。続いて、支払い手段について、クレジットカード、プリペイカード（プリカ）、現金（貨幣）等の中から選択する。更に、給油量について、満タン、金額指定、給油量指定、等を表示操作画面２２を操作して選択する。
【００５１】
支払い手段として現金（貨幣）が選択された場合、ドライバーは、操作した表示操作画面２２に隣接している貨幣入出金機１の操作面（ここでは一側操作面とする）に設けられている紙幣投入部１１１ａと硬貨投入部１３１ａとを利用して、前金として紙幣及び硬貨を投入する。投入された紙幣及び硬貨は、それぞれ紙幣識別部１１３ａ、硬貨識別部１３３ａによって識別され、その後、対応する混合一時保留庫１１４ａ、１３４ａに一時保留される。混合一時保留庫１１４ａ、１３４ａに一時保留された貨幣の金額データは、制御部１５を介して上位のＰＯＳ装置５に送信される。ＰＯＳ装置５は、送信された金額データを外設ＰＯＳ２に送信し、外設ＰＯＳ２が当該金額データに基づいて表示操作画面２２に投入金額を表示する。
【００５２】
ドライバーは、表示操作画面２２に表示された投入金額を確認し、例えば当該表示操作画面２２に表示された確認ボタンを押下する。確認ボタンが押下されることにより、外設ＰＯＳ２は、ＰＯＳ装置５に対して、ドライバーによって指定された油種と給油量とを送信する。ＰＯＳ装置５は、送信されてきた油種と給油量とを、給油機３に送信し、表示操作画面２２の表示等によって、ドライバーに給油作業を促す。
【００５３】
その後、ドライバーは、該当する給油ノズル３２を持ち上げて、車の給油口に当該給油ノズル３２を差し込んで、給油作業を開始する。給油作業の完了後、給油ノズル３２は給油機３のノズル掛け３１に戻される。
【００５４】
給油機３は、給油ノズル３２がノズル掛け３１に戻された際、給油量を確認してＰＯＳ装置５に送信する。ＰＯＳ装置５は、給油量に対応する金額を算出し、前金として投入されていた金額と対比し、釣銭を排出する必要がある場合には貨幣入出金機１を介して釣銭を払い出すと共に、その旨を表示操作画面２２に表示させる。
【００５５】
ＰＯＳ装置５は、さらに、給油売上伝票データを外設ＰＯＳ２に送信し、外設ＰＯＳ２は、内蔵するプリンター（不図示）によって給油売上伝票を発行し、給油伝票排出口２３から出力する。
【００５６】
以上によって給油作業は完了する。給油作業が完了すると、ＰＯＳ装置５は、貨幣入出金機１に完了通知を送信する。貨幣入出金機１は、当該完了通知を受けると、混合一時保留庫１１４ａ、１３４ａに一時保留されていた貨幣を対応する貨幣収納庫１２２、１４２へ分類して収納する。
【００５７】
ここで、貨幣収納庫１２２、１４２から貨幣回収庫１２３、１４３への回収作業が行われている場合には、当該回収作業の完了の後で、混合一時保留庫１１４ａ、１３４ａから対応する貨幣収納庫１２２、１４２への収納が行われる。
【００５８】
以上の通り、本実施の形態によれば、一側一時保留部である混合一時保留庫１１４ａ、１３４ａ及び他側一時保留部である混合一時保留庫１１４ｂ、１３４ｂが設けられたことによって、一側と他側との両方で同時に精算作業を行うことができ、また、回収機構において貨幣回収作業が行われている間であっても、一側入金部１１１ａ、１３１ａから一側識別部１１３ａ、１３３ａを介して一側一時保留部である混合一時保留庫１１４ａ、１３４ａに至る機能、及び、他側入金部１１１ｂ、１３１ｂから他側識別部１１３ｂ、１３３ｂを介して他側一時保留部である混合一時保留庫１１４ｂ、１３４ｂに至る機能を中断させる必要がなく、それぞれにおいて精算作業を行うことができる。
【００５９】
ここで、本実施の形態では、一側の紙幣搬送部１１６ａと他側の紙幣搬送部１１６ｂと紙幣の回収機構とは、いずれか１つが駆動している時に他の２つは駆動しない、という制御が採用されている。これにより、紙幣収納庫１２２が関与する処理がバッティング（干渉）することがない。同様に、一側の硬貨搬送部１３６ａと他側の硬貨搬送部１３６ｂと硬貨の回収機構とは、いずれか１つが駆動している時に他の２つは駆動しない、という制御が採用されている。これにより、硬貨収納庫１４２が関与する処理がバッティング（干渉）することがない。
【００６０】
この場合、貨幣入出金機１の一側操作面に一側表示部が設けられ、貨幣入出金機１の他側操作面に他側表示部が設けられ、当該一側表示部及び当該他側表示部は一側搬送部、他側搬送部及び回収機構のいずれかが駆動している時に、当該情報を表示するようになっていることが好ましい。あるいは、各外設ＰＯＳ２ａ、２ｂの表示操作画面２２が、一側搬送部、他側搬送部及び回収機構のいずれかが駆動している時に、当該情報を表示するようになっていることが好ましい。
【００６１】
ここで、図８を用いて、図４の貨幣入出金機の動作制御について更に詳しく説明しておく。図８は、他側操作面の硬貨投入部１３１ｂから始まる硬貨の搬送経路を図示したものである。図８において、一側の硬貨投入部１３１ａから硬貨搬送部１３６ａまでの搬送経路は、他側の硬貨投入部１３１ｂから硬貨搬送部１３６ｂまでの搬送経路と略対称であるから（図６参照）、図示が省略されている。
【００６２】
まず、貨幣（ここでは硬貨とする）の投入から収納庫までの搬送動作について説明する。
【００６３】
外設ＰＯＳ２の表示操作画面２２に対するドライバーの操作（入力）に基づいて、例えばＰＯＳ装置５及び制御部１５を介して、貨幣入出金機１の入金処理（精算作業）のための操作面が特定される。
【００６４】
ドライバーは、外設ＰＯＳ２の表示操作画面２２における表示によって当該操作面を確認して（他側操作面とする）、当該操作面の硬貨投入部１３１ｂに硬貨を投入する。
【００６５】
硬貨投入センサ１３２ｂによって硬貨が検知されると、硬貨投入口１３１ｂから硬貨識別部１３３ｂへ硬貨が搬送され、硬貨の識別がなされる。識別の結果、真正な硬貨については、分岐１８１ｂを介して、更に硬貨混合一時保留庫１３４ｂへと搬送される。偽造硬貨・変造硬貨については、分岐１８１ｂ、１８２を介して、ローラ１７１ｂ、１６４、１７２によって、更に硬貨出金部１３５ｂへと搬送される。
【００６６】
ある外設ＰＯＳ２に対する操作ないし当該外設ＰＯＳ２に対応する貨幣入出金機１の操作面に対する入金が禁止されると、例えばローラ１６１ｂの駆動が停止される。
【００６７】
制御部１５は、硬貨収納庫１４２から硬貨を回収する回収作業あるいは反対側からの収納作業や釣銭補充作業が行われていないと判断すると、硬貨混合一時保留庫１３４ｂから硬貨収納庫１４２への搬送許可を判断し、分岐１８２を硬貨収納庫１４２側へ切り替えて、硬貨分類部１４１とローラ１６２ｂ、１６３、１６４、１６５を駆動する。
【００６８】
硬貨混合一時保留庫１３４ｂから搬送されてくる硬貨の種別に同期させて、対応する分岐１８３が駆動されて、対応する硬貨収納庫１４２へと搬送がなされる。硬貨混合一時保留庫１３４ｂから硬貨収納庫１４２へ全ての硬貨が移動したと制御部１５が判断した時点で、搬送完了となる。
【００６９】
回収作業が行われる際には、貨幣入出金機１の回収面の扉が開けられ、制御部１５にある操作部１５２（１５２ａまたは１５２ｂ）の回収ボタンが押下される（図７参照）。制御部１５は、反対側の操作面に対応する硬貨混合一時保留庫（１３４ａ又は１３４ｂ）から硬貨収納庫１４２へ硬貨搬送中であるか否かを監視していて、搬送中である時には、その旨を表示装置１５１（１５１ａ及び／または１５１ｂ）に表示して回収操作者に知らせる。反対側の操作面に対応する硬貨混合一時保留庫（１３４ａ又は１３４ｂ）から硬貨収納庫１４２へ硬貨搬送中でないと判断した時は、回収許可を判断し、回収する金種の特定を操作部１５２において回収操作者に促す。
【００７０】
その後、分岐１８４が回収カセット側に切り替えられ、指定された金種に対応する硬貨回収庫１４２から（対応する硬貨回収庫１４２の吐出口が開口される）、ローラ１６６、１６７の駆動によって、回収カセット１４３へと硬貨が搬送されて回収される。
【００７１】
回収作業の直後に、あるいは単独で、釣銭補充作業が行われることがある。釣銭補充作業は、貨幣入出金機１の一側操作面または他側操作面にて行われる（ここでは一側操作面とする）。
【００７２】
釣銭補充作業の作業者は、当該操作面において釣銭補充モード（回収モードが兼ねる運用でもよい）を選択入力してから、紙幣投入部１１１ａないし硬貨投入部１３１ａから補充対象の紙幣ないし硬貨を投入する。
【００７３】
例えば、紙幣を補充する際に、紙幣投入センサ１１２ａによって紙幣が検知されると、紙幣投入口１１１ａから紙幣識別部１１３ａへ紙幣が搬送され、紙幣の識別がなされる。識別の結果、真正な紙幣については、更に紙幣混合一時保留庫１１４ａへと搬送される。
【００７４】
制御部１５は、紙幣収納庫１２２から紙幣を回収する回収作業あるいは反対側からの収納作業が行われていないと判断すると、紙幣混合一時保留庫１１４ａから紙幣収納庫１２２への搬送許可を判断し、紙幣混合一時保留庫１１４ａから搬送されてくる紙幣の種別に同期させて対応する分岐が駆動されて、対応する紙幣収納庫１２２へと搬送がなされる。紙幣混合一時保留庫１１４ａから紙幣収納庫１２２へ全ての紙幣が移動したと制御部１５が判断した時点で、紙幣の補充完了となる。
【００７５】
同様に、硬貨投入センサ１３２ａによって硬貨が検知されると、硬貨投入口１３１ａから硬貨識別部１３３ａへ硬貨が搬送され、硬貨の識別がなされる。識別の結果、真正な硬貨については、分岐１８１ａを介して、更に硬貨混合一時保留庫１３４ａへと搬送される。
【００７６】
制御部１５は、硬貨収納庫１４２から硬貨を回収する回収作業あるいは反対側からの収納作業が行われていないと判断すると、硬貨混合一時保留庫１３４ａから硬貨収納庫１４２への搬送許可を判断し、分岐１８２を硬貨収納庫１４２側へ切り替えて、硬貨分類部１４１とローラ１６２ａ、１６３、１６４、１６５を駆動する。
【００７７】
硬貨混合一時保留庫１３４ａから搬送されてくる硬貨の種別に同期させて、対応する分岐１８３が駆動されて、対応する硬貨収納庫１４２へと搬送がなされる。硬貨混合一時保留庫１３４ａから硬貨収納庫１４２へ全ての硬貨が移動したと制御部１５が判断した時点で、硬貨の補充完了となる。
【００７８】
紙幣ないし硬貨の補充が完了したら、釣銭補充作業の作業者は、釣銭補充モードを解除する。
【００７９】
以上のような釣銭補充作業中においても、釣銭補充作業が行われていない方の操作面（ここでは他側操作面）においては、他側投入部１１１ｂ、１３１ｂから他側識別部１１３ｂ、１３３ｂを介して他側一時保留部である混合一時保留庫１１４ｂ、１３４ｂに至る機能を中断させる必要がないため、精算作業を行うことができる。そして、釣銭補充作業の完了の後で、混合一時保留庫１１４ａ、１３４ａから対応する貨幣収納庫１２２、１４２への収納が行われる。
【００８０】
精算作業の過程で、釣銭の払い出しが必要である場合には、そのようなＰＯＳ装置５からの指令に従って釣銭補充作業が中断されて、紙幣収納庫１２２ないし硬貨収納庫１４２から紙幣出金部１１５ｂないし硬貨出金部１３５ｂへ釣銭の払い出しがなされ、その後、中断された釣銭補充作業が再開される。
【００８１】
なお、以上に説明した本実施の形態の給油システムの給油機３においては、両面型カードリーダライタが搭載されていてもよい。そして、当該両面型カードリーダライタにおいて、生カードの在庫管理、補充、回収作業の工程削減などの観点から、カードスタッカが両面に対して共通になっていることが好ましい。そのような構成の概略を図９乃至図１１に示す。
【００８２】
両面型カードリーダライタは、各操作面において反対側の操作面での動作を監視しながら制御が行われる。図９及び図１０に示す両面型カードリーダライタは、各操作面に対応して左右対称となっている。このうち、左側の部分のみを図１１として抽出し、以下の説明を続ける。
【００８３】
カードを読ませる制御動作の場合、外設ＰＯＳ２（２ａ、２ｂ）から制御部２０５にカード読込許可の指示が送信される。これにより、外設ＰＯＳ２から指示されたカードリーダライタの操作面が、カード取込許可状態となる（センサ２８１、２８２が検知可能な待機状態となる）。
【００８４】
カード２７０が、両面カードリーダライタ２１０の許可されたカード挿入口に挿入される。カード２７０が挿入されると、センサ２８１、２８２がカードの挿入を検知する。
【００８５】
センサ２８１、２８２による検知後、ガイドローラ３０１、３０２、３０３、３０４、３０５、３０６が、カードを内部に取り込む方向へ回転する。カード２７０が磁気媒体であれば、磁気ヘッド２８３、２８４で磁気データが読み込まれる。更に、ガイドローラ３０７、３０８を取り込み方向に駆動させ、センサ２８５にてカード位置２７１まで挿入されたことを検知する。その後、センサ２８５が検知ＯＦＦとなったとき、ガイドローラ３０７、３０８が停止される。このようなカード位置２７２まで取り込む理由は、磁気データを最後まで読み取るためである。
【００８６】
カード２７０がＩＣカードであれば、ＩＣカードリーダライタ要素２９０によって、カード位置２７１にてカード２７０のデータが読み取られる。
【００８７】
読み取られたデータは、制御部２０５を介して外設ＰＯＳ２へ送信される。
【００８８】
処理後、磁気カードであれば、ガイドローラ３０１、３０２、３０３、３０４、３０５、３０６、３０７、３０８が、ＩＣカードであればガイドローラ３０１、３０２、３０３、３０４、３０５、３０６が、排出方向に回転されてカード２７０が排出される。
【００８９】
次に、カードに書き込む制御動作の場合、外設ＰＯＳ２（２ａ、２ｂ）から制御部２０５にカード書込許可の指示及び書込データが送信される。これにより、外設ＰＯＳ２から指示されたカードリーダライタの操作面が、カード取込許可状態となる（センサ２８１、２８２が検知可能な待機状態となる）。
【００９０】
カード２７０が、両面カードリーダライタ２１０の許可されたカード挿入口に挿入される。カード２７０が挿入されると、センサ２８１、２８２がカードの挿入を検知する。
【００９１】
センサ２８１、２８２による検知後、ガイドローラ３０１、３０２、３０３、３０４、３０５、３０６が、カードを内部に取り込む方向へ回転する。カード２７０が磁気媒体であれば、磁気ヘッド２８３、２８４で磁気データが書き込まれる。更に、ガイドローラ３０７、３０８を取り込み方向に駆動させ、センサ２８５にてカード位置２７１が挿入されたことを検知する。その後、センサ２８５が検知ＯＦＦとなったとき、ガイドローラ３０７、３０８が停止される。
【００９２】
カード２７０がＩＣカードであれば、ＩＣカードリーダライタ要素２９０によって、カード位置２７１にてカード２７０にデータが書き込まれる。
【００９３】
書き込みが終了した時点で、データの読み取りを行って、読取ったデータと書き込んだデータとを比較してもよい（この比較は、例えば予め指定されたリトライ回数分だけ行われる）。
【００９４】
処理後、磁気カードであれば、ガイドローラ３０１、３０２、３０３、３０４、３０５、３０６、３０７、３０８が、ＩＣカードであればガイドローラ３０１、３０２、３０３、３０４、３０５、３０６が、排出方向に回転されてカード２７０が排出される。
【００９５】
次に、カードを発券する制御動作の場合、外設ＰＯＳ２（２ａ、２ｂ）から制御部２０５にカード発券許可の指示、発券時の書込データ及び発券する方向（操作面）の情報が送信される。これにより、外設ＰＯＳ２から指示されたカードリーダライタの操作面が、カード発券許可状態となる（センサ２８１、２８２が検知可能な待機状態となる）。
【００９６】
制御部２０５は、両面型カードリーダライタの反対側面において発券制御が行われていないことを確認する（反対側面が発券制御中であれば、当該発券制御が完了するまで待機状態を維持する）。
【００９７】
当該確認後、指示された操作面へカードを搬送する方向にガイドローラ３１１が駆動され、両面にとって共通のスタッカ２６０内からカード２７３が排出される。同時に、ガイドローラ３０７、３０８、３１２、３１３が指示された操作面へカードを排出する方向に回転されて、カード２７３はカード位置２７２方向へと送られる。
【００９８】
センサ２８５がカード位置２７２を検知すると、磁気カードであれば、磁気ヘッド２８４、２８３によってデータが書き込まれる。カード２７０がＩＣカードであれば、カード位置２７１にてデータが書き込まれる。
【００９９】
書き込みが終了した時点で、データの読み取りを行って、読取ったデータと書き込んだデータとを比較してもよい（この比較は、例えば予め指定されたリトライ回数分だけ行われる）。
【０１００】
その後、磁気カードであれば、ガイドローラ３０１、３０２、３０３、３０４、３０５、３０６、３０７、３０８が、ＩＣカードであればガイドローラ３０１、３０２、３０３、３０４、３０５、３０６が、排出方向に回転されてカード２７３が指示された操作面へ排出される。また、反対の操作面への発券が指示された場合には、反対の操作面に排出される。
【符号の説明】
【０１０１】
１        貨幣入出金機（貨幣処理装置）
２、２ａ、２ｂ  外設ＰＯＳ
２１      表示操作画面
２２      カードリーダ挿入口
２３      給油伝票排出口
３        給油機
３１      ノズル掛け
３２      給油ノズル
３３      給油表示部
４        アイランド
５        ＰＯＳ装置
１１１ａ、１１１ｂ    紙幣投入部
１１２ａ、１１２ｂ    投入センサ
１１３ａ、１１３ｂ    紙幣識別部
１１４ａ、１１４ｂ    紙幣混合一時保留庫
１１５ａ、１１５ｂ    紙幣出金部
１１６ａ、１１６ｂ    紙幣搬送部
１２１    紙幣分類部
１２２    紙幣収納庫
１２３    紙幣回収庫
１３１ａ、１３１ｂ    硬貨投入部
１３２ａ、１３２ｂ    投入センサ
１３３ａ、１３３ｂ    硬貨識別部
１３４ａ、１３４ｂ    硬貨混合一時保留庫
１３５ａ、１３５ｂ    硬貨出金部
１３６ａ、１３６ｂ    硬貨搬送部
１４１    硬貨分類部
１４２    硬貨収納庫
１４３    硬貨回収庫
１５      制御部
１５１    表示装置
１５２    操作部
１６１ａ、１６１ｂ    ローラ
１６２ａ、１６２ｂ    ローラ
１６３〜１６７    ローラ
１７１ａ、１７１ｂ    ローラ
１７２    ローラ
１８１ａ、１８１ｂ    分岐
１８２〜１８４    分岐
【図１】
2016201000.tif 000003
【図２】
2016201000.tif 000004
【図３】
2016201000.tif 000005
【図４】
2016201000.tif 000006
【図５】
2016201000.tif 000007
【図６】
2016201000.tif 000008
【図７】
2016201000.tif 000009
【図８】
2016201000.tif 000010
【図９】
2016201000.tif 000011
【図１０】
2016201000.tif 000012
【図１１】
2016201000.tif 000013